(57)【要約】【課題】レンズをボックスに取り付ける際の調整作業を容易にし組立作業性に優れたエレベータ用インジケータを提供する。【解決手段】エレベータ乗り場における三方枠の幕板或いは乗りかご内に設置され、乗りかごの位置及び運転方向を表示するエレベータ用インジケータにおいて、乗りかごの運転状況を表示する表示器と、表示器を収納するボックスと、ボックスに固定され、インジケータの意匠面として表示器を覆うレンズとを備え、ボックスには、レンズを挟んで固定するためのツメとレンズ押さえとを有するロック機構が設けられ、レンズがロック機構によりボックスに固定されていることを特徴とする。【選択図】図１
2011184184.tif 000002
【特許請求の範囲】
【請求項１】
エレベータ乗り場における三方枠の幕板或いは乗りかご内に設置され、乗りかごの位置及び運転方向を表示するエレベータ用インジケータにおいて、
前記乗りかごの運転状況を表示する表示器と、該表示器を収納するボックスと、該ボックスに固定され、インジケータの意匠面として前記表示器を覆うレンズとを備え、前記ボックスには、前記レンズを挟んで固定するためのツメとレンズ押さえとを有するロック機構が設けられ、前記レンズが前記ロック機構によりボックスに固定されていることを特徴とするエレベータ用インジケータ。
【請求項２】
請求項１記載のエレベータ用インジケータにおいて、前記ロック機構は、前記レンズのインジケータ横方向の両側に位置し前記レンズを位置決めして固定するレンズ固定片を更に有し、インジケータの左右方向が前記レンズ固定片で固定され、インジケータの上下方向が前記レンズ固定片と前記下部ツメとで固定され、インジケータの奥行方向が前記レンズ押さえと、上部ツメ、下部ツメ及び前記レンズ固定片との間で挟持固定されることを特徴とするエレベータ用インジケータ。
【請求項３】
請求項２記載のエレベータ用インジケータにおいて、前記レンズ固定片は、前記レンズの角に当接するＬ字形状をなし、前記レンズの上部左右の２点のみを固定することで前記レンズの左右上３方向の挙動を抑制することを特徴をとするエレベータ用インジケータ。
【請求項４】
昇降路内を昇降移動する乗りかごを有し、前記乗りかごへ乗降するエレベータ乗り場及び前記乗りかご内部の少なくとも一方にエレベータの運行状況を表示するインジケータが設けられたエレベータにおいて、
前記インジケータは、請求項１乃至３のいずれか１項記載のエレベータ用インジケータであることを特徴とするエレベータ。
【発明の詳細な説明】
【技術分野】
【０００１】
本発明は、エレベータの乗りかごの位置及び運転方向等を利用客に知らせるインジケータ及びそれを備えたエレベータに関する。
【背景技術】
【０００２】
エレベータの乗り場には、エレベータの乗りかご位置及び運転方向等の運行状況を知らせるインジケータが設置されている。
【０００３】
図８は、乗りかごが停止するエレベータ乗り場を示す正面図である。図８に示すように、エレベータ乗り場では、乗りかごの出入り口に乗降するための出入り口に、乗りかごの停止時に開閉可能な出入り口戸２が設けられている。出入り口の左右及び上方には、出入り口３の左右に設けられる縦枠３ｂ，３ｃと、上方に設けられる幕板３ａとからなる三方枠３が設けられている。幕板にはインジケータ５が設置され、インジケータ５にエレベータの運行状況を表示させることで、エレベータサービスの利便性を高めている。なお、図中、符号４は、乗り場壁１に設けられた乗り場ボタンである。
【０００４】
従来のインジケータは、図９及び図１０に示すように、レンズ６０、表示器７０及びボックス８０を備え、組立作業を簡素化させるためにレンズ６０と表示器７０を一体構造とし、一体のレンズ６０及び表示器７０をテープ９０でボックス８０に取り付けている。
【先行技術文献】
【特許文献】
【０００５】
【特許文献１】実開昭６０−１５９７７３号公報
【発明の概要】
【発明が解決しようとする課題】
【０００６】
しかしながら、従来のエレベータ用インジケータは、組立時にレンズ６０とボックス８０の中心を合わせるための調整作業が必須である。また、レンズ６０と表示器７０を一体構造とするための部品や、レンズ６０にテープ９０を貼付するためのスペースを確保する必要があるため、組立作業性に優れていなかった。
【０００７】
本発明の目的は、上記課題を解決すべく、レンズをボックスに取り付ける際の調整作業を容易にし、組立作業性に優れたエレベータ用インジケータを提供することにある。
【課題を解決するための手段】
【０００８】
上記目的を達成すべく本発明に係るエレベータ用インジケータは、エレベータ乗り場における三方枠の幕板或いは乗りかご内に設置され、乗りかごの位置及び運転方向を表示するエレベータ用インジケータにおいて、前記乗りかごの運転状況を表示する表示器と、該表示器を収納するボックスと、該ボックスに固定され、インジケータの意匠面として前記表示器を覆うレンズとを備え、前記ボックスには、前記レンズを挟んで固定するためのツメとレンズ押さえとを有するロック機構が設けられ、前記レンズが前記ロック機構によりボックスに固定されていることを特徴とするものである。
【０００９】
また、本発明に係るエレベータは、上記のインジケータを備えることを特徴とするものである。
【発明の効果】
【００１０】
本発明によれば、レンズとボックスの位置調整が容易に行え、組立作業性を向上させることができる。
【図面の簡単な説明】
【００１１】
【図１】本発明に係るエレベータ用インジケータの一実施形態の構成を示す正面図である。
【図２】図１の２Ａ−２Ａ線矢視図である。
【図３】図１の３Ａ−３Ａ線断面図である。
【図４】図１の４Ａ−４Ａ線断面図である。
【図５】図１のレンズ固定片の側面を示す側面図である。
【図６】エレベータの全体構成を示す概略図である。
【図７】乗りかご内に設けられるインジケータの設置例を示す正面図である。
【図８】エレベータ乗り場の構成を示す正面図である。
【図９】従来のエレベータ用インジケータの構成を示す正面図である。
【図１０】図９の１０Ａ−１０Ａ線矢視図である。
【発明を実施するための形態】
【００１２】
以下、本発明の好適な実施形態を添付図面に基づいて説明する。
【００１３】
まず、本実施形態のインジケータが設けられるエレベータについて説明する。図６は、エレベータの構成を示す概略図である。図６に示すように、エレベータ２０は、昇降路２１内を昇降移動する乗りかご２２とつり合いおもり２３とを備える。乗りかご２２とつり合いおもり２３は、機械室（図示せず）或いは昇降路２１内に配置されたシーブ（巻上機）２４及びプーリ２５と主ロープ２６によりつるべ式に懸垂され、シーブ２４が発生させるトルクを主ロープ２６に摩擦伝達させることにより昇降する。
【００１４】
各フロアのエレベータ乗り場２７には、インジケータが設置され、乗りかご２２が停止している階数、矢印等で示される乗りかご２２の移動方向、満員や停止中の状況等、乗りかごの運行状況が表示される。本実施形態のインジケータが設置されるエレベータ乗り場については、図６と同様であるためその説明を省略する。
【００１５】
図１は、本実施形態のインジケータの構成を示す正面図である。図２は図１の２Ａ−２Ａ線矢視図、図３は図１の３Ａ−３Ａ線断面図、図４は図１の４Ａ−４Ａ線断面図である。なお、インジケータの構成の説明において、横型のインジケータをエレベータ乗り場に設置した際、上下左右となる方向をそれぞれ上下方向（図中、Ｙ方向）、左右方向（図中、Ｘ方向）と定義する。
【００１６】
図１〜図４に示すように、本実施形態のインジケータは、エレベータの運転状況を表示する表示器７と、表示器７を収納するボックス８と、インジケータの意匠面として表示器７を覆い光透過性を有する板材（例えば、アクリル板）で形成されたレンズ６とを備える。
【００１７】
図３及び図４に示すように、表示器７はボックス８内に収納され、固定用ボルト１１で締結固定されている。
【００１８】
ボックス８の表側には、レンズ６がロック機構により固定されている。ロック機構は、ボックス８の内壁に設けられ、レンズ６を裏側から押さえるレンズ押さえ８ｃと、ボックス８の表面側の縁に設けられ、レンズ６を表側から押さえるツメ８ａ，８ｂと、２つのレンズ固定片９とで構成される。
【００１９】
ツメ８ａ，８ｂは、ボックス８の縁に形成した突起を折り曲げてなるものであり、ボックス８の上側に設けられる上部ツメ８ａと、ボックス８の下側に設けられる下部ツメ８ｂとからなる。本実施例では上部ツメ８ａがレンズ６の上部中央付近に１つ設けられていると共に、下部ツメ８ｂがレンズ６の下部の左右端部付近に1つずつ、２つ設けられている。なお、上部ツメ及び下部ツメの数はこの形態に限るものではない。レンズ押さえ８ｃとツメ８ａ，８ｂとの間に挟持固定されるレンズ６の周縁部は、レンズ本体部（中央の主部分）６ｄより一段薄い段付部６ａ，６ｂに形成されている。また、レンズ６の下側の段付部６ｂには、レンズ６をレンズ押さえ８ｃ上に設置しやすいように、下部ツメ部８ｂに対応する位置に切欠き部６ｃが形成されている。
【００２０】
レンズ固定片９は、正面から見てレンズ６の右上の角及び左上の角に当接するＬ字形状をなしている。図５はレンズ固定片９の側面を示す側面図である。図５に示すように、そのＬ字形状部分は、レンズ６の段付部６ａ上に位置しレンズ本体部６ｃの角に当接する。レンズ固定片９はボックス８の底に固定用ボルト１２で締結固定されている。２つのレンズ固定片９は、レンズ６の角に当接することにより、レンズ６の左右上３方向の挙動を抑制する。
【００２１】
本実施形態のインジケータの組立手順について説明する。
【００２２】
まず、表示器７を固定用ボルト１１にてボックス８へ固定する。固定用ボルト１１の締結位置は予め設計されているので、表示器７とボックス８の位置調整が不要となる。
【００２３】
表示器７を取り付けた後、レンズ６上側の段付部６ａを上部ツメ８ａとレンズ抑え８ｃの間に引っ掛け、レンズ６をボックス８と水平となるように倒してレンズ押さえ８ｃ上に載置し、レンズ６を載置したところで下方向へスライドさせ、レンズ本体部６ａの縁を下部ツメ８ｂの端面に押し当てた状態とする。これにより、レンズ６とボックス８の上下方向については位置調整され、レンズ６はレンズ押さえ８ｃとツメ８ａ，８ｂとで挟持された状態となる。この際、レンズ６の段付部６ｂには、切欠き部６ｃが形成されているので、下部ツメ８ｂとの干渉を回避しスムーズに作業を行うことができる。
【００２４】
レンズ６を下部ツメ８ｂに押し当てた状態で、レンズ６の左上及び右上にレンズ固定片９を宛がい、レンズ固定片９をボックス８に固定用ボルト１２で締結する。
【００２５】
これにより、レンズ６を上部ツメ８ａ、下部ツメ８ｂ及びレンズ固定片９と、レンズ押さえとで挟み、レンズ６の挙動を抑制することができる。また、レンズ６の左右方向の固定は、２つのレンズ固定片９により固定され、レンズ６の上下方向は、レンズ固定片９と下部ツメ８ｂとで固定される。従って、ツメ８ａ，８ｂ、レンズ押さえ８ｃ及びレンズ固定片９からなるロック機構により、強固に（上下左右前後３方向に）ボックス８にレンズ６を固定しているので、インジケータの幕板３ａへの設置作業中にレンズ６の落下等を防止できる。また、ロック機構を構成するレンズ固定片９は、レンズ６の角に当接するＬ字形状とすることで、レンズ６の上左右３方向の挙動を抑える部品として作用し、他の固定部品が不要となるため、部品点数の低減を図ることができる。また、ロック機構は、レンズ６をボックス８の表面にスライド挿入し、固定用ボルト１２でレンズ固定片９を締結するだけで、位置調整されてレンズを固定することができ、作業性の向上を図ることができる。
【００２６】
なお、本実施例では上部ツメ８ａがレンズ６の上部中央付近に１つ設けられていると共に、下部ツメ８ｂがレンズ６下部の左右端部付近に1つずつ設けられている構成のため、レンズ固定片９でレンズ６を固定する前でも、安定保持された状態を維持できるので、レンズ固定片９を取付ける作業も容易に行いやすくなる上、レンズ固定片９をレンズ６の上部の左右端部付近に1つずつ取付けることでしっかりとレンズ６を固定することができる構成となっている。
【００２７】
以上、本実施形態のエレベータ用インジケータによれば、レンズ６とボックス８の位置調整を容易に行え、組立作業性を向上させることができる。
【００２８】
また、上述の例では、インジケータがエレベータ乗り場に設置される場合について説明したが、本発明に係るエレベータ用インジケータは、乗りかご２２内に設置されるインジケータにも適用することができる。図７に示すように、インジケータ１３は、例えば、乗りかご２２の天枠１４に取り付けられる。図中、符号１５は、前側板１６に取り付けられたかご内操作盤である。
【符号の説明】
【００２９】
６：レンズ
６ｃ：切欠き部
７：表示器
８：ボックス
８ａ：上部ツメ
８ｂ：下部ツメ
９：レンズ固定片
【図１】
2011184184.tif 000003
【図２】
2011184184.tif 000004
【図３】
2011184184.tif 000005
【図４】
2011184184.tif 000006
【図５】
2011184184.tif 000007
【図６】
2011184184.tif 000008
【図７】
2011184184.tif 000009
【図８】
2011184184.tif 000010
【図９】
2011184184.tif 000011
【図１０】
2011184184.tif 000012